(57)【要約】【課題】スピーカ等の発音部材をカメラ本体内部の空き空間を利用して効率良く配置して小型化を実現し得る発音可能なカメラを提供する。【解決手段】発音可能なカメラ１において、撮影レンズ鏡筒１９ｂを含むカメラ本体１１と、カメラ本体の第一の面に配置されたスピーカ１７と、カメラ本体の第一の面とは異なる第二の面を覆い、当該第二の面を覆う部位には開口１０ｄを有し、スピーカに対向する部位と第一の面との間に空間を形成するように外方に向けた突出部１０ｇを有し、当該空間は開口と連通するように形成される外装部材１０とを有してなる。【選択図】図３
2007201736.tif 000002
【特許請求の範囲】
【請求項１】
発音可能なカメラにおいて、
撮影レンズ鏡筒を含むカメラ本体と、
上記カメラ本体の第一の面に配置されたスピーカと、
上記カメラ本体の上記第一の面とは異なる第二の面を覆い、当該第二の面を覆う部位には開口を有し、上記スピーカに対向する部位と上記第一の面との間に空間を形成するように外方に向けた突出部を有し、当該空間は上記開口と連通するように形成される外装部材と、
を有してなることを特徴とする発音可能なカメラ。
【請求項２】
発音可能なカメラにおいて、
撮影レンズの側方にあってかつ上記カメラの前面に設けられ、裏面側には空間部を形成する突出部を有し、少なくとも上記カメラの前面と側方の一部を覆い、当該側方の一部に上記空間部と連通した開口を有し、上記カメラの外装を形成する外装部材と、
を有してなることを特徴とする発音可能なカメラ。
【請求項３】
発音可能なカメラにおいて、
撮影レンズ鏡筒を有するカメラ本体と、
上記撮影レンズ鏡筒の側方にあってかつ上記カメラの前面に設けられ、裏面側には空間部を形成する突出部を有し、少なくとも上記カメラの前面と側方の一部を覆い、当該側方の一部に上記空間部に連通する開口を有し、上記カメラの外装を形成する外装部材と、
上記カメラ本体にあって、かつ上記空間に対向する部位に配設されるスピーカと、
を有してなることを特徴とする発音可能なカメラ。
【請求項４】
上記突出部は、カメラのグリップ部を形成していることを特徴とする請求項１又は請求項２のいずれかに記載の発音可能なカメラ。
【発明の詳細な説明】
【技術分野】
【０００１】
この発明は、発音可能なカメラ、詳しくは記録媒体等に記録されている音声データ等に基づいて音声等を発音するスピーカ等の発音部材を備えた発音可能なカメラに関するものである。
【背景技術】
【０００２】
従来より、撮影光学系に入射する被写体からの光束に基づいて形成される被写体像を所定の位置に配置した写真撮影用フイルムや電荷結合素子（ＣＣＤ；Ｃharge Ｃoupled Ｄevice）等の撮像素子の受光面上に結像させ、この被写体像を所定の形態の画像情報又は画像データ等として記録し得るように構成したカメラについては、一般的に実用化され広く普及している。
【０００３】
このような従来のカメラにおいては、画像の取得と同時にもしくは単独で音声情報（音声データ）を取得するためのマイクロフォン等の集音部材を備え、これを用いて音声記録を行ない得る録音機能を備えたものがある。この種のカメラにおいては、録音機能によって取得し記録媒体等に記録した音声データに基いて音声等を発音するスピーカ等の発音部材を、さらに備えることで、音声再生機能を有する発音可能なカメラが、例えば特開２００５−２０４０６３号公報等によって、種々提案され実用化されている。
【０００４】
また、従来のカメラにおいては、音声記録機能とは別に、予め記録されている音声データに基いて、例えば操作方法の案内や操作上の警告等を適宜所定のときにスピーカ等から音声等を発音させるようにしたカメラも実用化されている。
【０００５】
上記特開２００５−２０４０６３号公報によって開示されているカメラにおいては、発音部材をカメラ本体の上面側に設けている。
【特許文献１】特開２００５−２０４０６３号公報
【発明の開示】
【発明が解決しようとする課題】
【０００６】
また、近年においては、カメラの小型化についての要望が強く望まれている一方、高機能化のために配設すべき構成部材が多様化している。そのために、例えば発音機能のために設けられるスピーカ等の発音部材等、各種の構成部材をカメラ本体の内部に効率良く配設するために、さまざまな工夫が考えられている。
【０００７】
本発明は、上述した点に鑑みてなされたものであって、その目的とするところは、発音可能なカメラにおいて、スピーカ等の発音部材をカメラ本体内部の空き空間を利用して効率良く配置することにより、小型化を実現し得る発音可能なカメラを提供することである。
【課題を解決するための手段】
【０００８】
上記目的を達成するために、本発明による発音可能なカメラは、発音可能なカメラにおいて、撮影レンズ鏡筒を含むカメラ本体と、上記カメラ本体の第一の面に配置されたスピーカと、上記カメラ本体の上記第一の面とは異なる第二の面を覆い、当該第二の面を覆う部位には開口を有し、上記スピーカに対向する部位と上記第一の面との間に空間を形成するように外方に向けた突出部を有し、当該空間は上記開口と連通するように形成される外装部材とを有してなることを特徴とする。
【発明の効果】
【０００９】
本発明によれば、発音可能なカメラにおいて、スピーカ等の発音部材をカメラ本体内部の空き空間を利用して効率良く配置することにより、小型化を実現し得る発音可能なカメラを提供することができる。
【発明を実施するための最良の形態】
【００１０】
以下、図示の実施の形態によって本発明を説明する。  
図１，図２，図３は、本発明の一実施形態を示す図であって、図１は、本実施形態のカメラの前面側の外観を示す斜視図である。図２は、図１のカメラにおいて、前面側外装部材を取り外した状態を示す一部分解斜視図である。図３は、図１の［III］−［III］線に沿う断面図である。
【００１１】
本実施形態の発音可能なカメラは、撮影光学系に入射する被写体からの光束に基づいて形成される被写体像を所定の位置に配置した電荷結合素子（ＣＣＤ；Ｃharge Ｃoupled Ｄevice）等の撮像素子の受光面上に結像させ、この被写体像を所定の形態の画像データ（動画像または静止画像）として所定の記録媒体に記録し得ると共に、この画像データの記録と同時にまたは単独で音声情報を集音して音声データとして同記録媒体に記録し、さらに記録された音声データに基づいて音声を発音し得るように構成したいわゆる発音可能なデジタルカメラ（以下、単にカメラという）である。
【００１２】
まず、本実施形態のカメラ１の構成について、その概略を図１〜図３を用いて以下に説明する。
【００１３】
本実施形態のカメラ１は、図に示すように外装部材の一部となる前側外装部材１０と、カメラ本体１１と、後側カバー部材１２とによって、その基本構造を形成している。
【００１４】
カメラ本体１１と後側カバー部材１２との合わせ面には、図３に示すようにゴムパッキン等からなる防水部材２１が介在している。この防水部材２１は、カメラ本体１１の内部に対して水等が侵入するのを防止する役目をするものである。この防水部材２１によって、本実施形態のカメラ１は防塵防滴仕様となっている。
【００１５】
カメラ本体１１の前面側（カメラ本体１１における第一の面とする）には、撮影レンズユニット１９と、閃光発光装置１５と、マイクロフォン等の集音部材１６と、スピーカ等の発音部材１７等の各種の構成部材が配設されている。この場合において、集音部材１６の前面側と発音部材１７の前面側には、それぞれ防水シート４３（発音部材１７側のみ図３に図示。集音部材１６側は図示せず）が貼着されている。
【００１６】
前側外装部材１０には、図２に示すように上記各構成部材に対応させた開口が穿設されている。例えば、撮影レンズユニット１９に対応する撮影レンズ窓１０ａ、閃光発光装置１５に対応する発光窓１０ｂ、集音部材１６に対応する集音窓１０ｃ等である。なお、発音部材１７に対応する開口１０ｄは、前側外装部材１０の一方の側面（カメラ本体１１における第二の面とする）に形成されている。この発音部材１７用の開口１０ｄの詳細については、後述する。
【００１７】
撮影レンズユニット１９は、図３に示すように、カメラ本体１１の前面から見て略中央部から右側寄りの部位に対して一体的に組み込まれる形態で配設されている。この撮影レンズユニット１９は、複数の撮影レンズ鏡筒１９ｂと、これに保持される複数の光学レンズからなる撮影光学系１９ａ等によって構成されるユニットである。この撮影レンズユニット１９は、複数の撮影レンズ鏡筒１９ｂを駆動モータ（図示せず）によって伸縮自在に構成したいわゆる沈胴式のものである。
【００１８】
撮影レンズユニット１９の各撮影レンズ鏡筒１９ｂ同士の間に生じる隙間に対しては、前面寄りの部位にそれぞれ防水部材２２が配設されている。この防水部材２２によって、本実施形態のカメラ１における当該撮影レンズユニット１９もまた防塵防滴仕様となっている。
【００１９】
撮影レンズユニット１９の後方であって、撮影光学系１９ａの光軸上の所定の部位には、撮像素子３６が配設されている。この撮像素子３６は、撮影光学系１９ａの光軸と直交する方向に沿って配設される電気基板（図示せず）上に実装されている。
【００２０】
この撮像素子３６が実装される電気基板のさらに後方には、画像や各種の情報表示を行なうＬＣＤ等からなる表示装置２０が配設されている。この表示装置２０の表示面は、当該カメラ１の背面側に向けて配設されている。
【００２１】
そして、後側カバー部材１２には、上記表示装置２０の表示面に対向する部位に、透明部材によって形成される表示用窓２０ａが配設されている。
【００２２】
カメラ本体１１の前面から見て略中央部から左側寄りの部位には、図３に示すように充電式電池等の主電源用電池２５を収納する電池収納室１１ｃと、所定の記録媒体（図示せず）を収納する記録媒体収納室１１ｂとが形成されている。
【００２３】
電池収納室１１ｃの前面側の壁面は、カメラ本体１１の一部を形成する壁部１１ｅと、この壁部１１ｅに対してビス３５ａ等によって取り付けられる板バネ部材３５とによって形成されている。また、電池収納室１１ｃの壁部１１ｅに対向するがわ（背面側）の壁面は、カメラ本体１１に対して固設される仕切壁部材３１によって形成されている。
【００２４】
この仕切壁部材３１は、電池収納室１１ｃと記録媒体収納室１１ｂとを仕切るための壁部材でもある。したがって、この仕切壁部材３１は、同時に記録媒体収納室１１ｂの前面側の壁面としても機能している。
【００２５】
そして、電池収納室１１ｃ及び記録媒体収納室１１ｂの一側面は壁部材３４によって、他側面は壁部材３３によって形成されている。
【００２６】
これにより、上記壁部１１ｅ及び板バネ部材３５と、上記仕切壁部材３１と、壁部材３３，３４の一部とによって形成される空間が電池収納室１１ｃを形成しており、ここに主電源用電池２５が収納されるようになっている。
【００２７】
この場合において、電池収納室１１ｃ及び記録媒体収納室１１ｂが形成される部位に対応する部位であって、当該カメラ１の底面側には電池用及び記録媒体用開口（図示せず）が形成されている。この電池用及び記録媒体用開口から主電源用電池２５を電池収納室１１ｃの内部に挿入し、当該電池用及び記録媒体用開口を覆う蓋部材２４を閉状態とすると、当該主電源用電池２５の外面上の所定の部位に形成されている信号接点は、当該電池収納室１１ｃの内部奥側、即ち上面寄りの部位に配設されており、記録媒体収納室１１ｂの壁面を形成する後述の電気基板２３との間で電気的に接続されている信号接点（図示せず）に対して電気的な接続が確保されるようになっている。
【００２８】
一方、電池収納室１１ｃの背面寄りの部位には、記録媒体収納室１１ｂが形成されている。この記録媒体収納室１１ｂの背面側には上記電気基板２３が配設されている。したがって、記録媒体収納室１１ｂは、電気基板２３と、上記仕切壁部材３１と、上記壁部材３３，３４の一部とによって形成される空間によって形成されており、この空間に記録媒体（図示せず）が収納されるようになっている。
【００２９】
この場合において、所定の記録媒体、例えばカード形状からなる小型記録媒体を当該カメラ１の底面側に設けられる上記電池用及び記録媒体用開口（図示せず）から記録媒体収納室１１ｂの内部に挿入し、上記電池用及び記録媒体用開口を覆う蓋部材２４を閉状態とすると、記録媒体収納室１１ｂの内部に収納した記録媒体の外面上の所定の部位に形成されている信号接点は、電気基板２３上に実装されているカードスロット部（特に図示せず）の信号接点に対して電気的に接続されるようになっている。
【００３０】
上記電池収納室１１ｃの形成されている部位に対向する部位であって、上記前側外装部材１０の所定の部位は、前方に向けて突出するように形成されている。この突出部位は、本カメラ１を使用する際に、使用者が把持するグリップ部１０ｇとして機能するようになっている。
【００３１】
このグリップ部１０ｇには、断面が略Ｌ字形状からなる飾り板１０ｆが配設されている。この飾り板１０ｆの短腕部１０ｆｆは、前側外装部材１０の一側面に形成される（発音部材１７用の）開口１０ｄの一部を覆うように配置されている。
【００３２】
上述のように、前側外装部材１０の一部が前方に向けて突出するように形成されてグリップ部１０ｇが形成されていることから、当該グリップ部１０ｇの部位では、前側外装部材１０とカメラ本体１１との間に空間部が形成されている。この空間部に発音部材１７が配設されている。そして、当該空間部は、カメラ本体１１の凹みを有した側面開口１１ｄを介して上記前側外装部材１０の側面に形成される開口１０ｄと連通している。
【００３３】
ここで、カメラ本体１１に対して発音部材１７が配設されている部位の構成について、さらに詳述する。
【００３４】
発音部材１７は、上述したようにグリップ部１０ｇの内部にあって、カメラ本体１１の前面側に配設されている。この場合において、カメラ本体１１の前面側の所定の部位であって、前側外装部材１０のグリップ部１０ｇに対向する部位には、スピーカ収納部１１ａが形成されている。このスピーカ収納部１１ａ内に発音部材１７が配設されている。
【００３５】
スピーカ収納部１１ａの内径寸法は、発音部材１７の外径寸法よりも若干大きくなるような設定で形成されている。また、スピーカ収納部１１ａの底部側（背面寄りの部位）は、上述の板バネ部材３５によって構成されている。
【００３６】
板バネ部材３５は、スピーカ収納部１１ａの内部に配設される発音部材１７を底部側から前面に向けて付勢する付勢力を有して形成されている。
【００３７】
一方、スピーカ収納部１１ａの前面側の周縁部には、発音部材１７の外径寸法よりも若干小さくなるように、径方向に向けて凸となる受け部１１ａａが形成されている。
【００３８】
したがって、発音部材１７は、スピーカ収納部１１ａの内部に収納された状態では、板バネ部材３５の付勢力によって前面側に向けて付勢されているが、この付勢力によって発音部材１７が前方に飛び出さないように、スピーカ収納部１１ａの前面側周縁部の受け部１１ａａが、これを係止している。つまり、受け部１１ａａは、発音部材１７のスピーカ収納部１１ａの内部における位置決めをする役目をしている。そして、上述したように、スピーカ収納部１１ａの前面側開口部には防水シート４３が貼着されている。
【００３９】
このように発音部材１７は、グリップ部１０ｇの内部において、前側外装部材１０とカメラ本体１１との間の空間部に配設されている。そして、この空間部は、上述したように前側外装部材１０の一側面の開口１０ｄ及びカメラ本体１１の側面開口１１ｄと連通している。したがって、発音部材１７から発音された音声は、側面開口１１ｄ及び開口１０ｄを介して本カメラ１の側方の外部へと導かれるようになっている。
【００４０】
なお、側面開口１１ｄ及び開口１０ｄは、いずれも長孔形状に形成されていて、かつ略同形状に形成されている。そして、側面開口１１ｄには、その一部を覆うように、ひも状部材等からなるストラップ（吊りひも）を取り付けるためのストラップ用金具１８が配設されている。
【００４１】
したがって、カメラ本体１１の前面側に前側外装部材１０を取り付けた状態（図１参照）にしたとき、側面開口１１ｄに対して略同形状の開口１０ｄが配設されることになる。これと共に、カメラ本体１１側のストラップ用金具１８に対しては、前側外装部材１０の飾り板１０ｆの短腕部１０ｆｆが重なった状態で配置されるようになっている。
【００４２】
このとき、カメラ１の一側面には、図１に示すように開口を二つ有し、かつ内部で連通したストラップ挿通用孔が形成されることになる。
【００４３】
そして、このストラップ挿通用孔は、上述したように側面開口１１ｄ及び開口１０ｄにより形成されるものであるので、グリップ部１０ｇの内部に形成される空間部とも連通している。
【００４４】
つまり、上記空間部とストラップ挿通用孔を形成する側面開口１１ｄ及び開口１０ｄとが連通して構成されていることから、上記空間部に配設される発音部材１７から発音された音声は、側面開口１１ｄ及び開口１０ｄからなるストラップ挿通用孔を介してカメラ１の側方の外部へと導かれることとなる。
【００４５】
その一方で、上記空間部とストラップ挿通用孔（側面開口１１ｄ及び開口１０ｄ）とが連通していることから、このストラップ挿通用孔から内部に向けて水等が侵入する可能性が考えられる。
【００４６】
この場合には、上述したように、発音部材１７の前面側において、スピーカ収納部１１ａの前面側開口部に防水シート４３が貼着されていることから、発音部材１７は確実に防塵防滴されることになる。
【００４７】
なお、カメラ１の上面側であって、後側カバー部材１２の上面側には、シャッターレリースボタン１３や電源ボタン１４等の操作部材が配設されている。
【００４８】
また、カメラ本体１１の前面から見て右端部近傍には、閃光発光装置１５による発光を実現するためのメインコンデンサ３７が配設されている。
【００４９】
以上説明したように上記一実施形態によれば、カメラ１の外装部材の一部である前側外装部材１０は、カメラ本体１１の前面（第一の面）とは異なる一側面（第二の面）を覆い、当該一側面（第二の面）を覆う部位に開口１０ｄが形成されていて、発音部材（スピーカ）１７に対向する部位と前面（第一の面）との間に空間を形成するように外方に向けた突出部となるグリップ部１０ｇを有し、当該空間は開口１０ｄと連通するように形成している。
【００５０】
換言すれば、カメラ１の外装を形成する前側外装部材１０は、撮影レンズユニット１９の側方であってかつカメラ１の前面には、裏面側には空間部を有する突出部であるグリップ部１０ｇが形成されており、少なくともカメラ１の前面と側方の一部を覆うと共に、当該側方の一部に空間部と連通した開口１０ｄを有するように形成している。
【００５１】
そして、カメラ本体１１の前面側の上記空間部に対向する部位に発音部材（スピーカ）１７を配設するように構成している。
【００５２】
したがって、これにより、グリップ部１０ｇを前方に突出させるように形成したことによって、グリップ部１０ｇの内部には、前側外装部材１０とカメラ本体１１との間に所定の空間部が形成されるようになり、この空間部を有効に利用して発音部材１７を配設したことから、デッドスペースの有効利用となり、よってカメラ１の大型化を抑止しながら発音部材１７を内部に配設することができる。したがって、発音可能なカメラ１の小型化を実現することができる。
【００５３】
なお、上記一実施形態においては、発音可能なデジタルカメラについて本発明を適用した例を示しているが、これに限らず、例えば記録媒体として写真撮影用フイルムを用いるカメラにおいて、例えば単にビープ音を発するのみの発音機能を有するカメラに対しても全く同様に適用することができ、同様の効果を得ることができる。
【図面の簡単な説明】
【００５４】
【図１】本発明の一実施形態のカメラの前面側の外観を示す斜視図。
【図２】図１のカメラにおいて、前面側外装部材を取り外した状態を示す一部分解斜視図。
【図３】図１の［III］−［III］線に沿う断面図。
【符号の説明】
【００５５】
１……カメラ
１０……前側外装部材
１０ｄ……開口
１０ｇ……グリップ部
１１……カメラ本体
１１ａ……スピーカ収納部
１１ａａ……受け部
１１ｂ……記録媒体収納室
１１ｃ……電池収納室
１１ｄ……側面開口
１１ｅ……壁部
１２……後側カバー部材
１７……発音部材（スピーカ）
１８……ストラップ金具
１９……撮影レンズユニット
１９ａ……撮影光学系
１９ｂ……撮影レンズ鏡筒
２０……表示装置
２１，２２……防水部材
２３……電気基板
３５……板バネ部材
３６……撮像素子
３７……メインコンデンサ
４３……防水シート
【図１】
2007201736.tif 000003
【図２】
2007201736.tif 000004
【図３】
2007201736.tif 000005